(57)【要約】【課題】一つの吐水開口部から吐水された洗浄水が、ボウル部の外部へ飛び出すことを防止することができると共に、効果的に洗浄することができる小便器を提供する。【解決手段】本発明は、洗浄水によりボウル部を洗浄する小便器であって、小便を受けるボウル部と、ボウル部内の上方領域に設けられてボウル部へ洗浄水を吐水する吐水装置と、を有し、吐水装置は、自身の下部から左右方向まで開口する一つの吐水開口部と、吐水開口部内に洗浄水を供給する供給通路と、吐水開口部の内部に設けられ、供給通路から供給された洗浄水が衝突して左右に広がることができるように形成されている衝突壁と、を備え、供給通路から低瞬間流量かつ高速の洗浄水を供給する第１吐水モードと、供給通路から高瞬間流量かつ低速の洗浄水を供給する第２吐水モードと、のうちいずれか一方を実行するようになっている。【選択図】図９
2015190247.tif 000002
【特許請求の範囲】
【請求項１】
洗浄水によりボウル部を洗浄する小便器であって、
小便を受ける上記ボウル部と、
上記ボウル部内の上方領域に設けられて上記ボウル部へ洗浄水を吐水する吐水装置と、を有し、
上記吐水装置は、
自身の下部から左右方向まで開口する一つの吐水開口部と、
上記吐水開口部内に洗浄水を供給する供給通路と、
上記吐水開口部の内部に設けられ、上記供給通路から供給された洗浄水が衝突して左右に広がることができるように形成されている衝突壁と、を備え、
上記供給通路から低瞬間流量かつ高速の洗浄水を供給する第１吐水モードと、
上記供給通路から高瞬間流量かつ低速の洗浄水を供給する第２吐水モードと、のうちいずれか一方を実行するようになっていることを特徴とする小便器。
【請求項２】
上記吐水開口部は、上記ボウル部のボウル面に対する傾斜角が５度〜２５度の範囲内に形成されている請求項１に記載の小便器。
【請求項３】
上記吐水装置の上記供給通路は、
上記吐水開口部に洗浄水を供給する第１供給通路と、上記吐水開口部に洗浄水を供給する第２供給通路と、を備え、
さらに、
給水源からの洗浄水を供給する主流路と、
上記第１供給通路に洗浄水を供給する第１給水通路と、
上記第２供給通路に洗浄水を供給する第２給水通路と、
上記第１給水通路に設けられ、上記第１給水通路の洗浄水の瞬間流量を調整する第１流量調整手段と、
上記第２給水通路に設けられ、上記第１給水通路の洗浄水の瞬間流量よりも低くなるように、上記第２給水通路の洗浄水の瞬間流量を調整する第２流量調整手段と、
上記第１吐水モードと上記第２吐水モードとのうちいずれか一方を実行できるように、上記主流路からの洗浄水を上記第１給水通路及び上記第２給水通路のいずれか一方に供給できる切替手段とを備え、
上記第２供給通路及び上記第２給水通路の少なくともいずれかの箇所の流路断面積が、上記第１供給通路及び上記第１給水通路の流路断面積よりも小さく形成されている請求項１又は２に記載の小便器。
【請求項４】
上記吐水装置は、さらに、上記供給通路の流路断面積を変更可能な断面積変更手段を備え、
さらに、
給水源からの洗浄水を供給する給水通路と、
上記給水通路に設けられ、上記給水通路の洗浄水の瞬間流量を、低瞬間流量と高瞬間流量とに切替えることができる流量切替手段と、を備え、
上記第１吐水モードにおいては、上記流量切替手段が上記給水通路の洗浄水を低瞬間流量に切替え、上記断面積変更手段が上記供給通路の断面積を比較的小さく変更して、上記供給通路の洗浄水の流速を比較的高速にさせ、
上記第２吐水モードにおいては、上記流量切替手段が上記給水通路の洗浄水を高瞬間流量に切替え、上記断面積変更手段が上記供給通路の断面積を比較的大きく変更して、上記供給通路の洗浄水の流速を比較的低速にさせる請求項１又は２に記載の小便器。
【請求項５】
さらに、使用者が小便器を使用したときに第１吐水モードを実行し、使用者が小便器を使用したときとは別に、所定時間が経過する毎に第２吐水モードを実行するように制御する制御部を備えている、請求項１乃至４の何れか１項に記載の小便器。
【発明の詳細な説明】
【技術分野】
【０００１】
本発明は、小便器に係り、特に、吐水装置（スプレッダ）から吐水された洗浄水によりボウル部を洗浄する小便器に関する。
【背景技術】
【０００２】
近年、小便器の吐水装置（スプレッダ）は、意匠性の良さからコンパクトなものが普及している。
その一方で、吐水装置に、小便器のボウル面を広範囲に亘って洗浄できる性能が求められている。
【０００３】
従来から、例えば、特許文献１に記載されたような、洗浄ノズルにおいて、側方への吐出口と、下方への吐出口との複数の吐出口が形成され、切り換え弁が同じ所定の流量の洗浄水が吐出される複数の吐出口を切り替えるものが知られている。
【０００４】
また、特許文献２に記載されたような、洗浄用ノズル頭部において、第１の放水流路と、第１の放水流路と吐水範囲の異なる第２の放水流路とが形成され、共通する１つの供給流路から、単位面積あたりの瞬間流量が同じ洗浄水が第１の放水流路と第２の放水流路とに供給されるものが知られている。
【先行技術文献】
【特許文献】
【０００５】
【特許文献１】特開２００４−１５００１３号公報
【特許文献２】特開平８−２３９８８９号公報
【発明の概要】
【発明が解決しようとする課題】
【０００６】
しかしながら、小便器においては、陰毛等の異物除去等の設備保護洗浄のために高い瞬間流量で洗浄水を吐水しなければならないという要請もある。
このような要請に基づき、従来のコンパクトな吐水装置を用いて、ボウル面の広範囲に高い瞬間流量で吐水するとき、吐水された洗浄水の一部がボウル面の外へ飛び出すという問題が生じている。
さらに、ボウル部の左右両端に設けられた従来の側壁を有していない小便器、すなわち、ボウル部の正面が連続した曲面により形成されているような小便器において、吐水装置がボウル面の広範囲に高い瞬間流量で吐水するときには、さらに、吐水された洗浄水の一部がボウル面の外へ飛び出しやすいという問題が生じている。
【０００７】
また、吐水装置に、複数の吐水口を設けて吐水を調整しようとする場合には、複数の吐水口を設けるため吐水装置が大型化してしまうという問題が生じている。
【０００８】
本発明は、上述した問題を解決するためになされたものであり、一つの吐水開口部に、低瞬間流量かつ高速の洗浄水を供給する第１吐水モードと、高瞬間流量かつ低速の洗浄水を供給する第２吐水モードと、により洗浄水を供給することができ、吐水開口部から吐水された洗浄水が、ボウル部の外部へ飛び出すことを防止することができると共に、効果的に洗浄を行うことができる小便器を提供することを目的としている。
【課題を解決するための手段】
【０００９】
上記の目的を達成するために、本発明は、洗浄水によりボウル部を洗浄する小便器であって、小便を受けるボウル部と、ボウル部内の上方領域に設けられてボウル部へ洗浄水を吐水する吐水装置と、を有し、吐水装置は、自身の下部から左右方向まで開口する一つの吐水開口部と、吐水開口部内に洗浄水を供給する供給通路と、吐水開口部の内部に設けられ、供給通路から供給された洗浄水が衝突して左右に広がることができるように形成されている衝突壁と、を備え、供給通路から低瞬間流量かつ高速の洗浄水を供給する第１吐水モードと、供給通路から高瞬間流量かつ低速の洗浄水を供給する第２吐水モードと、のうちいずれか一方を実行するようになっていることを特徴としている。
このように構成された本発明においては、第１吐水モードにおいては、供給通路から供給された低瞬間流量かつ高速の洗浄水が衝突壁に衝突し、高速の洗浄水が衝突壁に衝突することにより、低瞬間流量の洗浄水が一つの吐水開口部からボウル部の左右領域まで広範囲に広がるように吐水される。よって、吐水された洗浄水が、ボウル部の外部へ飛び出すことを防止することができると共に、ボウル部の左右領域まで広範囲にわたって洗浄することができる。第２吐水モードにおいては、供給通路から供給された高瞬間流量かつ低速の洗浄水が衝突壁に衝突し、低速の洗浄水が衝突壁に衝突することにより、高瞬間流量の洗浄水が一つの吐水開口部からボウル部の比較的狭い中央領域に向けて吐水される。よって、吐水された洗浄水が、ボウル部の外部へ飛び出すことを防止することができると共に、小便器の排水配管の尿の排出及び陰毛等の異物を除去することができ、小便器の排水配管の設備保護洗浄をすることができる。
従って、小便器を効果的に洗浄することができる。
【００１０】
本発明において、好ましくは、吐水開口部は、ボウル部のボウル面に対する傾斜角が５度〜２５度の範囲内に形成されている。
このように構成された本発明においては、吐水開口部から吐水された洗浄水が、ボウル面から反射して跳ね返ることを抑制し、ボウル面に沿った膜状の流れを形成することができる。
【００１１】
本発明において、好ましくは、吐水装置の供給通路は、吐水開口部に洗浄水を供給する第１供給通路と、吐水開口部に洗浄水を供給する第２供給通路と、を備え、さらに、給水源からの洗浄水を供給する主流路と、第１供給通路に洗浄水を供給する第１給水通路と、第２供給通路に洗浄水を供給する第２給水通路と、第１給水通路に設けられ、第１給水通路の洗浄水の瞬間流量を調整する第１流量調整手段と、第２給水通路に設けられ、第１給水通路の洗浄水の瞬間流量よりも低くなるように、第２給水通路の洗浄水の瞬間流量を調整する第２流量調整手段と、第１吐水モードと第２吐水モードとのうちいずれか一方を実行できるように、主流路からの洗浄水を第１給水通路及び第２給水通路のいずれか一方に供給できる切替手段とを備え、第２供給通路及び第２給水通路の少なくともいずれかの箇所の流路断面積が、第１供給通路及び第１給水通路の流路断面積よりも小さく形成されている。
このように構成された本発明においては、第１吐水モードにおいては、第２供給通路から供給された低瞬間流量かつ高速の洗浄水が衝突壁に衝突し、高速の洗浄水が衝突壁に衝突することにより、低瞬間流量の洗浄水が一つの吐水開口部からボウル部の左右領域まで広範囲に広がるように吐水される。よって、吐水された洗浄水が、ボウル部の外部へ飛び出すことを防止することができると共に、ボウル部の左右領域まで広範囲にわたって洗浄することができる。第２吐水モードにおいては、第１供給通路から供給された高瞬間流量かつ低速の洗浄水が衝突壁に衝突し、低速の洗浄水が衝突壁に衝突することにより、高瞬間流量の洗浄水が一つの吐水開口部からボウル部の比較的狭い中央領域に向けて吐水される。よって、吐水された洗浄水が、ボウル部の外部へ飛び出すことを防止することができると共に、小便器の排水配管の尿の排出及び陰毛等の異物を除去することができ、小便器の排水配管の設備保護洗浄をすることができる。従って、小便器を効果的に洗浄することができる。
【００１２】
本発明において、好ましくは、吐水装置は、さらに、供給通路の流路断面積を変更可能な断面積変更手段を備え、さらに、給水源からの洗浄水を供給する給水通路と、給水通路に設けられ、給水通路の洗浄水の瞬間流量を、低瞬間流量と高瞬間流量とに切替えることができる流量切替手段と、を備え、第１吐水モードにおいては、流量切替手段が給水通路の洗浄水を低瞬間流量に切替え、断面積変更手段が供給通路の断面積を比較的小さく変更して、供給通路の洗浄水の流速を比較的高速にさせ、第２吐水モードにおいては、流量切替機構が給水通路の洗浄水を高瞬間流量に切替え、断面積変更手段が供給通路の断面積を比較的大きく変更して、供給通路の洗浄水の流速を比較的低速にさせる。
このように構成された本発明においては、第１吐水モードにおいては、流量切替手段が給水通路の洗浄水を低瞬間流量にさせ、断面積変更手段が供給通路の洗浄水の流速を比較的高速にさせることができ、共通の給水通路及び供給通路を利用して、比較的簡単な構造により、供給通路内の洗浄水を低瞬間流量かつ高速にできる。第２吐水モードにおいては、流量切替機構が給水通路の洗浄水を高瞬間流量にさせ、断面積変更手段が供給通路の洗浄水の流速を比較的低速にさせることができ、供給通路内の洗浄水を高瞬間流量かつ低速にできる。従って、共通の給水通路及び供給通路を利用して、比較的簡単な構造により、第１吐水モードと第２吐水モードとのうちいずれか一方を実行することができる。
【００１３】
本発明において、好ましくは、さらに、使用者が小便器を使用したときに第１吐水モードを実行し、使用者が小便器を使用したときとは別に、所定時間が経過する毎に第２吐水モードを実行するように制御する制御部を備えている。
このように構成された本発明においては、制御部は、使用者が小便器を使用したときに第１吐水モードを実行し、ボウル部の左右領域まで広範囲にわたって洗浄する小便器洗浄を行うことができる。また、制御部は、使用者が小便器を使用したときとは別に、所定時間が経過する毎に第２吐水モードを実行させることができ、小便器の排水配管の尿の排出及び陰毛等の異物を除去することができ、小便器の排水配管の設備保護洗浄を行うことができる。
【発明の効果】
【００１４】
本発明の小便器によれば、一つの吐水開口部から吐水された洗浄水が、ボウル部の外部へ飛び出すことを防止することができると共に、効果的に洗浄することができる。
【図面の簡単な説明】
【００１５】
【図１】本発明の実施形態による小便器を示す全体斜視図である。
【図２】図１の小便器の正面図である。
【図３】図１の小便器の側面図である。
【図４】図２のIV-IV線に沿って見た縦断面図である。
【図５】図１の小便器の平面図である。
【図６】本発明の実施形態による小便器のスプレッダを示す斜視図である。
【図７】本発明の実施形態による小便器のスプレッダをボウル面に取付けた状態を側方から示す概略図である。
【図８】本発明の実施形態による小便器のスプレッダをボウル面に取付けた状態を上方から示す概略図である。
【図９】図８のIX-IX線に沿って見た断面図である。
【図１０】図７のX-X線に沿って見た断面図である。
【図１１】本発明の実施形態による小便器の自動便器洗浄ユニットの流路の構成を示す概略図である。
【図１２】本発明の実施形態による小便器の自動便器洗浄ユニットの流路の構成の変形例を示す概略図である。
【発明を実施するための形態】
【００１６】
添付図面を参照して、本発明の実施形態による小便器を説明する。先ず、図１乃至図５により小便器の基本構造を説明する。図１は本発明の実施形態による小便器を示す全体斜視図であり、図２は図１の小便器の正面図であり、図３は図１の小便器の側面図であり、図４は図２のIV-IV線に沿って見た縦断面図であり、図５は図１の小便器の平面図である。
【００１７】
図１乃至図５に示すように、符号１は、本発明の実施形態による小便器を示し、この小便器１は、陶器製の小便器本体２と、この小便器本体２を洗浄するための自動便器洗浄ユニット４を備えている。小便器１は自身の最下部が床面から浮かされた状態となるように背後の壁面に沿って取付けられる壁掛け式の小便器であるが、小便器１は床面上に直接配置される床置き式の小便器であってもよい。
【００１８】
小便器１の小便器本体２は、上方端に上述した自動便器洗浄ユニット４を収納するための収納室６（図２及び図３に概略により図示され、他の図面においては省略する）と、この収納室６の前面７から下方に延びるボウル面８と、このボウル面８の底部に形成された排出口１０とを備えている。
【００１９】
収納室６は、小便器本体２と別体である蓋３により形成されている。また、収納室６の前面７は、詳細は後述するように、後方に向かって傾斜して形成されている。また、排出口１０には、目皿板１２が配置されている。さらに、排出口１０は、下流側に配置された排水トラップ管路（図示せず）及び排水配管（図示せず）に接続されている。
【００２０】
次に、図２乃至図１２により、自動便器洗浄ユニット４について説明する。図６は本発明の実施形態による小便器のスプレッダを示す斜視図であり、図７は本発明の実施形態による小便器のスプレッダをボウル面に取付けた状態を側方から示す概略図であり、図８は本発明の実施形態による小便器のスプレッダをボウル面に取付けた状態を上方から示す概略図であり、図９は図８のIX-IX線に沿って見た断面図であり、図１０は図７のX-X線に沿って見た断面図であり、図１１は本発明の実施形態による小便器の自動便器洗浄ユニットの流路の構成を示す概略図であり、図１２は本発明の実施形態による小便器の自動便器洗浄ユニットの流路の構成の変形例を示す概略図である。図７乃至図９のボウル面８は下部が後方側に向かって若干傾斜している状態である。
【００２１】
自動便器洗浄ユニット４は、水道等の給水源から洗浄水を供給する主給水管１４と、
主給水管１４から分岐される第１給水管１６と、主給水管１４から分岐される第２給水管１８と、第１給水管１６に設けられる第１流量調整装置２０と、第１給水管１６に取り付けられ給水の供給及び停止を行う第１開閉弁２２と、第２給水管１８に設けられる第２流量調整装置２４と、第２給水管１８に取り付けられ給水の供給及び停止を行う第２開閉弁２６と、第１給水管１６及び第２給水管１８の先端に取り付けられた吐水部であるスプレッダ２８と、使用者の有無を検知する人体検知センサ３０と、人体検知センサ３０からの検知信号及び所定の制御プログラム等に基づいて第１開閉弁２２、第２開閉弁２６等を制御することができる制御ユニット３２と、を備えている。
自動便器洗浄ユニット４は、洗浄水を、１つの主給水管１４から、互いに異なる瞬間流量及び流速の洗浄水を供給する第１給水管１６及び第２給水管１８を通過してボウル面８に供給させるようになっている。
【００２２】
第１流量調整装置２０は、第１給水管１６内を通過する洗浄水を適正な一定流量に調整することができる定流量弁である。第１流量調整装置２０は、流量センサ等を使用して洗浄水を適正な流量に調整することができる他の装置により構成されてもよい。第１流量調整装置２０は、制御ユニット３２により制御されるように構成されてもよい。第１流量調整装置２０は、後述する下流側の第１供給通路３８に供給する洗浄水の瞬間流量を、比較的高い瞬間流量の範囲、例えば、８〜１７L/minの範囲、好ましくは１１〜１３L/minの範囲に調整するようになっている。
第１開閉弁２２は、制御ユニット３２の制御信号により第１給水管１６の流路を開閉する電磁弁である。第１開閉弁２２は、給水の供給及び停止を行うことができる他の流路開閉装置により構成されてもよい。
【００２３】
第２流量調整装置２４は、第２給水管１８内を通過する洗浄水を適正な一定流量に調整することができる定流量弁である。第２流量調整装置２４は、流量センサ等を使用して洗浄水を適正な流量に調整することができる他の装置により構成されてもよい。第２流量調整装置２４は、制御ユニット３２により制御されるように構成されてもよい。第２流量調整装置２４は、後述する下流側の第２供給通路４０に供給する洗浄水の瞬間流量を、比較的低い瞬間流量の範囲、例えば、２〜８L/minの範囲、好ましくは５〜７L/minの範囲に調整するようになっている。
第２開閉弁２６は、制御ユニット３２の制御信号により第２給水管１８の流路を開閉する電磁弁である。第２開閉弁２６は、給水の供給及び停止を行うことができる他の流路開閉装置により構成されてもよい。
【００２４】
上述した図１１に示す本実施形態においては、自動便器洗浄ユニット４は、第１給水管１６に取り付けられ給水の供給及び停止を行う第１開閉弁２２と、第２給水管１８に取り付けられ給水の供給及び停止を行う第２開閉弁２６とを備え、制御ユニット３２が第１開閉弁２２を開閉して第１供給通路３８への洗浄水の供給開始及び停止を制御し、第２開閉弁２６を開閉して第２供給通路４０への洗浄水の供給開始及び停止を制御している。
これに対し、本実施形態においては、自動便器洗浄ユニット４は、上述した第１開閉弁２２及び第２開閉弁２６に代えて、主給水管１４と第１給水管１６及び第２給水管１８との分岐箇所に３方切換弁等の切換弁を設けるようにしてもよい。具体的には、主給水管１４と第１給水管１６及び第２給水管１８との分岐箇所に設けられた切換弁を、制御ユニット３２によって制御することにより、第１給水管１６並びに第１供給通路３８への洗浄水の供給開始及び停止、第２給水管１８並びに第２供給通路４０への洗浄水の供給開始及び停止、をそれぞれ独立して制御することができる。他の変形例として、自動便器洗浄ユニット４は、上述した第１開閉弁２２及び第２開閉弁２６に代えて、第１給水管１６並びに第１供給通路３８への洗浄水の供給開始及び停止、第２給水管１８並びに第２供給通路４０への洗浄水の供給開始及び停止、をそれぞれ独立して制御することができる他の弁構造及びこれらの組合せ構造を有していてもよい。
【００２５】
人体検知センサ３０は、小便器１の前方の使用者の有無及び使用者までの距離を検知する赤外線式のセンサである。この人体検知センサ３０により使用者が用を足して小便器１から所定距離離れたことを検知した場合に、制御ユニット３２から操作信号が発信され、この操作信号により、第２開閉弁２６が開となり、第２給水管１８からスプレッダ２８に洗浄水が供給され、小便器１のボウル面８が洗浄されるようになっている。なお、人体検知センサ３０は、赤外線式のセンサに限定されず、隠蔽可能な電波式センサ（マイクロ波センサ）であっても良い。
制御ユニット３２は、人体検知センサ３０の使用者の有無の検知結果を受けて、第２開閉弁２６を開閉させて小便洗浄動作（第１吐水モード）の制御を行う他、予め設定された所定時間、例えば２時間等の時間が経過するごとに、制御ユニット３２から操作信号が発信され、この操作信号により、第１開閉弁２２を開状態とする制御を行う。これにより、洗浄水が、第１給水管１６からスプレッダ２８に供給され、小便器１のボウル面８が洗浄され、排出口１０の下流側に配置された排水トラップ（図示せず）及び排水管路（図示せず）内の雑菌の繁殖を抑制し、尿石等の付着を抑制する設備保護洗浄（第２吐水モード）を実行できるようになっている。
【００２６】
再び、図１乃至図５に戻り、小便器１の小便器本体２の詳細構造を説明する。先ず、図２及び図３に示すように、本実施形態による小便器１は、自動便器洗浄ユニット４が小便器本体２の上方端に形成された収納室６内に収納されたタイプの小便器である。本実施形態においては、このようなタイプの小便器１において、小便器本体２の収納室６の前面７がボウル面８と連続し且つ後方に向かって傾斜して形成されている。小便器本体２において、収納室６の前面７は、ボウル面８と一体構造となっている。さらに、収納室６の前面７は、ボウル面８の上方側と連続して形成され、さらに、後方に向かって傾斜して形成されている。ここで、収納室６の前面７とボウル面８の「連続」は、収納室６の前面７とボウル面８が、面一に、又は、ほぼ面一に形成されていることを意味している。また、完全な面一である必要はなく、例えば、小さな段差があってもよく、収納室６の前面からボウル面８へと流れる洗浄水が剥離することがなければ良い。
【００２７】
ボウル面８は、その上部から下部まで、前面が使用者に対向するように開いた円弧形状（アーチ形状）の正面部８ａを有している。ボウル面８は、ボウル面８のうち、スプレッダ２８が設けられている上方領域において、従来のようなボウル面から前方に壁状に突出する側面部が設けられておらず、正面部８ａのみから形成されている。このような正面部８ａは自身の曲面の接線の垂線が小便器本体２の前方に立っている使用者に向かう方向に延びるような前向きの曲面を形成している。
【００２８】
ボウル面８の正面部８ａは、左右方向に連続した凹曲面で形成されている。この正面部８ａは、使用者の胴体の曲面を受け入れやすいように使用者の胴体の曲面に沿うような湾曲面である。ボウル面８の正面部８ａのみから形成されている上方領域は、平面視において、ボウル面８の左側端部８ｂから右側端部８ｃまで１つの曲率半径Ｒで描かれる１つの円弧（曲率半径Ｒが途中で概ね変化しないような１つの円弧であり、シングルＲと称される円弧）に沿って形成され、その弧の中央部が後方側に配置されているシングルＲ領域８ｇを形成している。すなわち、シングルＲ領域８ｇにおいては曲面がほぼ単一の曲率半径Ｒを有するほぼ単一の円弧形状により形成されている。このシングルＲ領域８ｇにおいては、ボウル面８の上端８ｄから下方に向かうにつれて、円弧の曲率半径が徐々に減少するように形成され、曲率が徐々に増大するように形成されている。ボウル面８のシングルＲ領域８ｇは、少なくともボウル面８の上端から２００ｍｍの範囲、好ましくは上端から３００ｍｍの範囲の領域において形成されている。ボウル面８のシングルＲ領域８ｇよりさらに下方の領域は、２種類の曲率半径Ｒを有する円弧の組み合わせ、又は円弧と直線との組み合わせによる複合的な形状部分である複合Ｒ領域８ｈを形成している。
【００２９】
具体的には、図１に示すように、ボウル面８は、シングルＲ領域８ｇにおける、ボウル面８の上端８ｄからの距離Ｌ１（Ｌ１＝１５０ｍｍ）の位置、すなわち収納室６の前面７且つスプレッダ近傍の高さ位置において、平面視で、比較的大きな曲率半径である曲率半径Ｒ１（Ｒ１＝３００ｍｍ）による単一の曲率半径の円弧により形成される正面部８ａにより形成されている。
図１２に示すように、ボウル面８は、シングルＲ領域８ｇにおける、ボウル面８の上端８ｄからの距離Ｌ２（Ｌ２＝３００ｍｍ）の位置において、平面視で、曲率半径Ｒ１よりも小さな曲率半径である曲率半径Ｒ２（Ｒ２＝２００ｍｍ）による単一の曲率半径の円弧により形成される正面部８ａにより形成されている。
シングルＲ領域８ｇにおける正面部８ａの曲率半径は、例えば、２００〜５００ｍｍの範囲、好ましくは２００〜４００ｍｍの範囲に設定されるようになっている。このような範囲とすることで、使用者の局部を把持する手や腕が、ボウル面に接触することを抑制できるため、使用者が用足し時に小便器に近づきやすくなり、結果として尿垂れにより床を汚してしまうという事態の発生を抑制することができる。
【００３０】
ボウル面８は、複合Ｒ領域８ｈにおける、ボウル面８の上端８ｄからの距離Ｌ３（Ｌ３＝４５０ｍｍ）の位置においては、平面視で、２種類の曲率半径を有する円弧を組み合わせた複合的な円弧形状を有している正面部８ａにより形成されている。
ボウル面８は、さらに下部の複合Ｒ領域８ｈにおいては、左側端部８ｂと右側端部８ｃとが前方に延び、中央部８ｅが後方側に後退し、例えば、ボウル面８の上端８ｄからの距離Ｌ４（Ｌ４＝５００ｍｍ）の位置においては、平面視で、使用者に向かう方向に開くような円弧形状部分８ｉ（正面部８ａ）とその両側で使用者に向かって突出する直線部分８ｊ（側面部８ｋ）とにより形成されている。
ボウル面８は、上端８ｄからの距離Ｌ４の位置より下方の領域においては、正面部８ａと使用者に向かって突出する側面部８ｋとを有している。
【００３１】
ボウル面８は、ある水平断面において、左側端部８ｂと右側端部８ｃとが中央部８ｅよりも前方に突出するように配置されている。さらに、ボウル面８は、下方に向かうにつれて、左側端部８ｂと右側端部８ｃとが徐々に前方に突出するように配置されている。また、ボウル面８の正面部８ａは、ボウル面８の上端８ｄから下方に向けて後方に向かって傾斜して形成されている。従って、その正面部８ａの中央部８ｅは、上端８ｄから下方に向けて徐々に後退するように奥側に形成されている。また、スプレッダ２８が中央部８ｅにやや後方側に配置されているので、使用者が正面部８ａに近づきやすくなっている。
【００３２】
ボウル面８は、下部においては、左側端部８ｂと右側端部８ｃとが先端８ｆに向かって前方に突出されている。ボウル面８の上部においては使用者がボウル面８に近づけるようになっているのに対し、ボウル面８下部の先端８ｆが使用者側に突出しているので、使用者の尿が床に垂れて床を汚す汚垂れを生じさせにくくなっている。ボウル面８の下部は、その下方側において、流下する洗浄水を集めて排出口１０に導くように形成されている。
【００３３】
次に、図６乃至図１０に戻り、スプレッダ２８の詳細構造を説明する。
図７等に示すように、この自動便器洗浄ユニット４において、スプレッダ２８が、小便器本体２の正面部８ａの収納室６の前面７に取り付けられている。
スプレッダ２８は、洗浄水をボウル面８に向けて吐水する一つの吐水開口部３４と、吐水開口部３４に洗浄水を供給する第１供給通路３８と、吐水開口部３４に洗浄水を供給する第２供給通路４０と、を備えている。
【００３４】
第１供給通路３８は、第１給水管１６の先端に接続され、第２供給通路４０とは独立した通水路を形成している。第１供給通路３８は、設備保護洗浄動作（第２吐水モード）において、比較的高い瞬間流量を有し且つ比較的低速の洗浄水の流れを吐水開口部３４に供給する。
第１供給通路３８は、図９に示すように通水路の内径Ｄ１が比較的大きく形成され、図１０に示すように通水路の断面積Ｃ１が比較的大きく形成されている。従って、第１供給通路３８は、比較的高い瞬間流量の洗浄水が流れる場合にも、通水路の断面積Ｃ１が比較的大きいので、比較的低速の洗浄水の流れを形成することができる。第１供給通路３８内の洗浄水の流速は、比較的低い流速の範囲、例えば、１〜３m/sの範囲、好ましくは２〜３m/sの範囲になるように第１供給通路３８が形成されている。
なお、第１供給通路３８内の洗浄水の流速を、第１給水管１６の少なくとも一部分の断面積を第１供給通路３８の断面積よりも小さく形成することにより設定してもよい。
【００３５】
第２供給通路４０は、第２給水管１８の先端に接続され、第１供給通路３８とは独立した通水路を形成している。第２供給通路４０は、小便洗浄動作（第１吐水モード）において、比較的低い瞬間流量を有し且つ比較的高速の洗浄水の流れを吐水開口部３４に供給する。
第２供給通路４０は、図９に示すように通水路の内径Ｄ２が比較的小さく形成され、図１０に示すように通水路の断面積Ｃ２が比較的小さく形成されている。従って、第２供給通路４０は、比較的低い瞬間流量の洗浄水が流れる場合にも、通水路の断面積Ｃ２が比較的小さいので、比較的高速の洗浄水の流れを形成することができる。第２供給通路４０内の洗浄水の流速は、比較的高い流速の範囲、例えば、４〜１５m/sの範囲、好ましくは８〜１２m/sの範囲になるように第２供給通路４０が形成されている。
なお、第２供給通路４０内の洗浄水の流速を、第２給水管１８の少なくとも一部分の断面積を第２供給通路４０の断面積よりも小さく形成することにより設定してもよい。
【００３６】
第１供給通路３８と第２供給通路４０とは、スプレッダ２８内において、互いに平行に、ボウル面８の裏側から表側まで直線的に延びている。第１供給通路３８は、吐水開口部３４内に開口する第１噴出口３８ａを形成している。
第２供給通路４０は、第１噴出口３８ａの下方において、吐水開口部３４内に開口する第２噴出口４０ａを形成している。第２供給通路４０は２つの第２噴出口４０ａを開口する１つの通路を形成している。本実施形態においては、第２噴出口４０ａは、２つの開口により形成されているが、第２噴出口４０ａを１つの開口により形成してもよい。
【００３７】
吐水開口部３４は、その吐水開口部３４の左右両端を形成する吐水開口上壁３４ａと、吐水開口部３４の内部に設けられ、その吐水開口部３４内部の前側の壁面を形成し、第１供給通路３８及び第２供給通路４０からそれぞれ供給された洗浄水がどちらも衝突して左右に広がることができるように形成されている衝突壁３４ｂと、その吐水開口部３４内部の後側の壁面を形成する吐水開口後壁３４ｃとを備えている。
吐水開口部３４は、下部から左右方向まで扇形に開口するように形成され、スプレッダ２８の下部の、左右の吐水開口上壁３４ａとの間において、衝突壁３４ｂと吐水開口後壁３４ｃとの間の扇形の開口通路３４ｄを形成している。
スプレッダ２８は、複数の吐水開口部が形成されておらず、一つの吐水開口部３４のみを有しているので、スプレッダ２８の前後方向の厚みを抑制することができ、スプレッダ２８をコンパクトに形成することができる。
【００３８】
吐水開口上壁３４ａは、下方に向かって傾斜するように延びる内側上壁３４ｅと、内側上壁３４ｅの下端から上方に向かって傾斜するように延びる外側上壁３４ｆとを有している。
内側上壁３４ｅは、鉛直下方から左右対称におよそ４０°の位置に形成され、左右の内側上壁３４ｅの間の角度Ａ１は約８０°に形成されている。左右の内側上壁３４ｅの間の角度Ａ１は、例えば、５０°〜１２０°の範囲、好ましくは６０°〜９０°の範囲に形成されている。内側上壁３４ｅは、吐水開口部３４の開口通路３４ｄの内方側の上部領域、すなわち第１供給通路３８の出口領域を形成するので、第１供給通路３８の第１噴出口３８ａから噴出される洗浄水が左右の内側上壁３４ｅに沿って誘導され、主に角度Ａ１の範囲内で吐水開口部３４から吐水されるように、洗浄水の左右の広がりの上縁を規制している。また、内側上壁３４ｅは、水平より下方向きに延びているので、第１供給通路３８から供給された洗浄水を、左右への広がりを抑制して、ボウル面８の下方に向けて導くことができる。
【００３９】
外側上壁３４ｆは、鉛直下方から左右対称に約１１５°の位置に形成され、左右の外側上壁３４ｆの間の角度Ａ２は約２３０°に形成されている。左右の外側上壁３４ｆの間の角度Ａ２は、例えば、１９０°〜２５０°の範囲、好ましくは２１０°〜２３０°の範囲に形成されている。外側上壁３４ｆは、吐水開口部３４の開口通路３４ｄの外方側の上部領域の上端に形成されている。外側上壁３４ｆは、外側上壁３４ｆの延長線上に第２供給通路４０の第２噴出口４０ａが開口しているので、第２供給通路４０の第２噴出口４０ａから噴出される洗浄水が左右の外側上壁３４ｆに沿って流れることができ、主に角度Ａ２の範囲内で吐水開口部３４から吐水されるように、洗浄水の左右の広がりの上縁を決定している。外側上壁３４ｆは、水平より上方向きに延びているので、第２供給通路４０から外側上壁３４ｆに沿って流出する洗浄水の上縁は、スプレッダ２８から斜め上方に上昇するように吐水される。従って、吐水開口部３４は、洗浄水が第２供給通路４０から比較的高速で供給されたとき、左右の外側上壁３４ｆの間の角度Ａ２の範囲内の領域にわたって拡散するように洗浄水を吐水することができ、ボウル面８の左右斜め上方から左右両端近傍まで広がる水幕を形成することができる。
【００４０】
衝突壁３４ｂは、扇形に形成され、開口通路３４ｄの前面を形成している。衝突壁３４ｂは、第１供給通路３８の第１噴出口３８ａと対向するように第１供給通路３８の前方側に設けられ、第２供給通路４０の第２噴出口４０ａと対向するように第２供給通路４０の前方側に設けられている。衝突壁３４ｂは、第１供給通路３８から供給された洗浄水、及び第２供給通路４０から供給された洗浄水のそれぞれを、どちらも自身に衝突させて開口通路３４ｄの扇形領域に広がるように流すことができるようになっている。衝突壁３４ｂは、後方に向かって傾斜して形成されている。
【００４１】
吐水開口後壁３４ｃは、図１０に示すように、その中央の上部領域において第１供給通路３８の第１噴出口３８ａと接続され、第１噴出口３８ａの下方において第２供給通路４０の第２噴出口４０ａと接続されている。この吐水開口後壁３４ｃは、扇形に形成され、吐水開口部３４の後面を形成し、衝突壁３４ｂとの間で、第１供給通路３８から供給された洗浄水、及び第２供給通路４０から供給された洗浄水のそれぞれを、吐水開口部３４の扇形領域に広がるように流すことができるようになっている。吐水開口後壁３４ｃは、衝突壁３４ｂと平行に延び、後方に向かって傾斜して形成されている。吐水開口後壁３４ｃの後方への傾斜角は、吐水開口後壁３４ｃの近傍のボウル面８の後方への傾斜角よりも大きくされ、吐水開口部３４は、ボウル部のボウル面８に対する傾斜角が５度〜２５度の範囲内に形成されている。よって、吐水開口部３４から収納室６の前面７に向けて洗浄水が跳ね返りにくく吐水され、ボウル面８上に水幕を形成するようになっている。
【００４２】
本実施形態においては、上述した図１１に示すように、自動便器洗浄ユニット４は、水道等の給水源から洗浄水を供給する主給水管１４と、主給水管１４から分岐される第１給水管１６と、主給水管１４から分岐される第２給水管１８と、第１給水管１６に設けられる第１流量調整装置２０と、第１給水管１６に取り付けられ給水の供給及び停止を行う第１開閉弁２２と、第２給水管１８に設けられる第２流量調整装置２４と、第２給水管１８に取り付けられ給水の供給及び停止を行う第２開閉弁２６と、第１給水管１６及び第２給水管１８の先端に取り付けられた吐水部であるスプレッダ２８と、人体検知センサ３０からの検知信号及び所定の制御プログラム等に基づいて第１開閉弁２２、第２開閉弁２６等を制御することができる制御ユニット３２と、を備えている。また、上述のようにスプレッダ２８は、洗浄水をボウル面８に向けて吐水する吐水開口部３４と、吐水開口部３４に洗浄水を供給する第１供給通路３８と、吐水開口部３４に洗浄水を供給する第２供給通路４０と、を備えている。
これに対し、本実施形態においては、変形例として、図１２に示すように、自動便器洗浄ユニット４は、上述した第１給水管１６及び第２給水管１８に代えて、１つの共通給水管４２を設けるようにし、スプレッダ２８は、スプレッダ２８の第１供給通路３８及び第２供給通路４０に代えて、１つの共通供給通路４４を設けるようにし、スプレッダ２８は、さらに、共通供給通路４４の流路断面積を変更可能な断面積変更手段４６を備え、小便器１は、給水源からの洗浄水を供給する給水通路４８と、給水通路４８に設けられ、給水通路４８の洗浄水の瞬間流量を、低瞬間流量と高瞬間流量とに切替えることができる流量切替手段５０と、を備えるようにされることができる。なお、断面積変更手段４６は、給水通路４８に設けられていてもよい。
【００４３】
この変形例においては、具体的には、図１２に示すように、自動便器洗浄ユニット４は、水道等の給水源から洗浄水を供給する主給水管１４（給水通路４８）と、主給水管１４に接続される１つの共通給水管４２（給水通路４８）と、共通給水管４２に設けられた上述の流量切替手段５０と、スプレッダ２８の共通供給通路４４に設けられた上述の断面積変更手段４６とを備えている。主給水管１４及び共通給水管４２には、さらに他の開閉弁などの装置が取り付けられていてもよい。
制御ユニット３２は、人体検知センサ３０からの検知信号及び所定の制御プログラム等に基づいて流量切替手段５０、断面積変更手段４６等を制御することができる。制御ユニット３２は、小便洗浄動作（第１吐水モード）においては、流量切替手段５０が共通給水管４２の洗浄水を低瞬間流量に切替え、断面積変更手段４６が共通供給通路４４の断面積を比較的小さく変更して、共通供給通路４４の洗浄水の流速を比較的高速にさせるように制御し、設備保護洗浄（第２吐水モード）においては、流量切替手段５０が共通給水管４２の洗浄水を高瞬間流量に切替え、断面積変更手段４６が共通供給通路４４の断面積を比較的大きく変更して、共通供給通路４４の洗浄水の流速を比較的低速にさせるように制御することができる。
【００４４】
流量切替手段５０は、給水通路４８の洗浄水の瞬間流量を、調整することができる装置であればよく、低瞬間流量から高瞬間流量に、又は高瞬間流量から低瞬間流量に切替えることができる。断面積変更手段４６は、内径或いは大きさの異なる複数の開口が形成されたプレートを移動させることにより、これらの開口が共通供給通路４４の流路断面積の大きさを決定するような機構を有し、プレートを移動させることにより、ある開口を別の開口に変更して、共通供給通路４４の流路断面積を変更することができる。
さらに他の例としては、断面積変更手段４６は、開口の内径或いは大きさを拡大又は縮小するように変更できる機構を有することにより、この開口が共通供給通路４４の流路断面積の大きさを決定するような機構を有し、開口の大きさを拡大又は縮小させることにより、ある開口を別の大きさの開口に変更して、共通供給通路４４の流路断面積を変更することができるようにしてもよい。
【００４５】
次に、本発明の実施形態による小便器の洗浄動作を説明する。
先ず、本発明の実施形態による小便器１による小便洗浄動作の流れを説明する。
通常、使用者が小便器１の前に立つと、人体検知センサ３０が使用者の存在を検出して検出情報を制御ユニット３２に送り、制御ユニット３２は使用者の存在を認識する。使用者が小便器１のボウル面８に放尿を終え、放尿を済ませた使用者が小便器１の前から立ち去り、人体検知センサ３０が非検出状態となると、制御ユニット３２は使用者が小便器１から立ち去ったと判断して、制御ユニット３２が小便洗浄動作（第１吐水モード）を開始する。
【００４６】
制御ユニット３２は、小便洗浄動作（第１吐水モード）においては、第２開閉弁２６に制御信号を送って第２開閉弁２６を開き、主給水管１４から供給される洗浄水を第２給水管１８から第２供給通路４０に供給させる。このとき、第２供給通路４０に供給される洗浄水の単位面積あたりの瞬間流量は、第２流量調整装置２４により上述の比較的低い瞬間流量の範囲に調整される。また、第２供給通路４０に供給される洗浄水の流速は、第２供給通路４０の流路断面積Ｃ２が、比較的小さく形成されているので、上述の比較的高い流速にされる。よって、比較的高速の洗浄水の流れが、第２供給通路４０の第２噴出口４０ａから吐水開口部３４内に吐水され、衝突壁３４ｂに衝突して拡散される。
【００４７】
比較的高い流速で衝突壁３４ｂに衝突した洗浄水は、衝突した後、下方から左右斜め上方まで放射状に広がるように流れる。従って、吐水開口部３４から吐水される洗浄水は、左右方向においては、左右の外側上壁３４ｆの間から、上方まで広がるように吐出され、前後方向においては、衝突壁３４ｂと吐水開口後壁３４ｃとの間からさらに後方側のボウル面８に向かって後方に吐出されている。図１及び図１０において、吐水開口部３４から吐水される洗浄水の流れを矢印Ａによって示す。吐水開口部３４内において上部の洗浄水は、水平から左側方向又は右側方向に上り傾斜している外側上壁に沿って、左右斜め上方に上昇するように吐水される。
【００４８】
左右の外側上壁３４ｆの間の角度は比較的大きく形成されているので、第１吐水モードにおいて、吐水開口部３４から吐水される洗浄水は、ボウル面８の左右上方から中央下方まで広範囲に吐水される。また吐水された洗浄水が、スプレッダ２８の左右斜め上方側の左右領域並びに、ボウル面８の中央領域より広範囲の左右領域まで広範囲にわたって洗浄することができる。第１吐水モードにおいて洗浄水が吐水される領域は、後述する第２吐水モードにおいて洗浄水が吐水される領域を覆うような領域となっている。第１吐水モードにおいて、吐水開口部３４から吐水される洗浄水は、比較的低い瞬間流量の洗浄水であるので、洗浄水がボウル面８の左右両端近傍まで到達して洗浄を行う一方、ボウル面８の左右両端を超えて外部に流出することなく、ボウル面８の左側端部８ｂ及び右側端部８ｃの両端近傍領域を洗浄しながら流下することができる。
【００４９】
このように、スプレッダ２８の吐水開口部３４から吐水される洗浄水は、スプレッダ２８から放射状方向に、ボウル面８の面上を洗浄できない部分を生じさせないように広く広がるように流れ、ボウル面８を流下しながらボウル面８全体の良好な洗浄を行うことができる。洗浄水は、ボウル面８を流下し排出口１０より排出され、この下流の排水トラップ管路（図示せず）を通過し、さらに下流の排水配管（図示せず）に向かって流れる。
スプレッダ２８の吐水開口部３４からの吐水が一定時間継続されると、制御ユニット３２は、第２開閉弁２６を閉止して、スプレッダ２８からの吐水を終了させ、小便洗浄動作（第１吐水モード）を終了させる。
【００５０】
次に、本発明の実施形態による小便器１による設備保護洗浄動作（第２吐水モード）の流れを説明する。
制御ユニット３２は、小便洗浄動作（第１吐水モード）とは別に、設備保護洗浄動作（第２吐水モード）を行う。
制御ユニット３２は、前回の設備保護洗浄が行われてから一定の経過時間が経過していること（例えば、前回の設備保護洗浄が行われてから２時間の経過時間が経過していること）の他、小便器１の使用回数が一定期間に一定回数に達していること等の使用条件を満たす場合に、設備保護洗浄動作を開始する。
【００５１】
制御ユニット３２は、第２吐水モードにおいて、第１開閉弁２２に制御信号を送って第１開閉弁２２を開き、主給水管１４から供給される洗浄水を第１給水管１６から第１供給通路３８に供給させる。このとき、第１供給通路３８に供給される洗浄水の瞬間流量は、第１流量調整装置２０により上述の比較的高い瞬間流量の範囲に調整される。また、第１供給通路３８に供給される洗浄水の流速は、第１供給通路３８の流路断面積Ｃ１が、比較的大きく形成されているので、上述の比較的低い流速にされる。よって、比較的低速の洗浄水の流れが、第１供給通路３８の第１噴出口３８ａから吐水開口部３４内に吐水され、衝突壁３４ｂに衝突して拡散される。
【００５２】
比較的低い流速で衝突壁３４ｂに衝突した洗浄水は、衝突した後、主に下方に広がるように流れる。従って、吐水開口部３４から吐水される洗浄水は、左右方向においては、左右の吐水開口上壁３４ａの間から下方向きの扇形に広がるように吐出され、前後方向においては、衝突壁３４ｂと吐水開口後壁３４ｃとの間からさらに後方側のボウル面８に向かって後方に吐出されている。図１及び図１０に示すように、吐水開口部３４から吐水される洗浄水の流れを矢印Ｂによって示す。第１供給通路３８から供給された洗浄水は、水平から左側方向又は右側方向に下り傾斜している内側上壁３４ｅに沿って、吐水開口部３４から左右斜め下方に流下するように吐水される。
【００５３】
左右の内側上壁３４ｅの間の角度は比較的小さく形成されているので、第２吐水モードにおいて、吐水開口部３４から吐水される洗浄水は、ボウル面８の中央付近の比較的狭い範囲に吐水される。従って、第２吐水モードにおいては、吐水開口部３４から吐水される洗浄水は、比較的高い瞬間流量の洗浄水であるにもかかわらず、洗浄水がボウル面８の左側端部８ｂ及び右側端部８ｃの両端を超えて外部に流出することなく、ボウル面８の中央周辺の領域を洗浄しながら流下することができる。
【００５４】
このように、吐水開口部３４から吐水される比較的高い瞬間流量の洗浄水が、排出口１０に流入する。比較的高い瞬間流量の洗浄水が、排出口１０の下流の排水トラップ管路（図示せず）を通過し、さらに下流の排水配管（図示せず）に向かって流れるので、水かさが上昇した洗浄水が、排水トラップ管路及び排水配管を洗浄しながら流れ、これら配管内の尿の排出及び陰毛等の異物を除去し、さらに尿石や異物を洗い流せ、バクテリアの増殖を抑制し、尿石の付着（発生）を抑制することができる。洗浄水が排水トラップ管路及び排水配管を長期間間隔をあけずに流れることで、尿石を発生させるバクテリアの増殖を抑制することができる。
スプレッダ２８の吐水開口部３４からの吐水が一定時間継続されると、制御ユニット３２は、第１開閉弁２２を閉止して、スプレッダ２８からの吐水を終了させ、設備保護洗浄動作（第２吐水モード）を終了させる。
【００５５】
次に、上述した本発明の実施形態による小便器の作用効果を説明する。
上述した本実施形態による小便器１によれば、第１吐水モードにおいては、第２供給通路４０から供給された低瞬間流量かつ高速の洗浄水が衝突壁３４ｂに衝突し、高速の洗浄水が衝突壁３４ｂに衝突することにより、低瞬間流量の洗浄水が一つの吐水開口部３４からボウル面８の左右領域まで広範囲に広がるように吐水される。よって、吐水された洗浄水が、ボウル面８の外部へ飛び出すことを防止することができると共に、ボウル面８の左右領域まで広範囲にわたって洗浄することができる。
第２吐水モードにおいては、第１供給通路３８から供給された高瞬間流量かつ低速の洗浄水が衝突壁３４ｂに衝突し、低速の洗浄水が衝突壁３４ｂに衝突することにより、高瞬間流量の洗浄水が一つの吐水開口部３４からボウル面８の比較的狭い中央領域に向けて吐水される。よって、吐水された洗浄水が、ボウル面８の外部へ飛び出すことを防止することができると共に、小便器１の排水配管の尿の排出及び陰毛等の異物を除去することができ、小便器１の排水配管の設備保護洗浄をすることができる。従って、小便器１を効果的に洗浄することができる。
【００５６】
また、本実施形態による小便器１においては、吐水開口部３４から吐水された洗浄水が、ボウル面８から反射して跳ね返ることを抑制し、ボウル面８に沿った膜状の流れを形成することができる。
【００５７】
また、本実施形態による小便器１においては、第１吐水モードにおいては、第２供給通路４０から供給された低瞬間流量かつ高速の洗浄水が衝突壁３４ｂに衝突し、高速の洗浄水が衝突壁３４ｂに衝突することにより、低瞬間流量の洗浄水が吐水開口部３４からボウル面８の左右領域まで広範囲に広がるように吐水される。よって、吐水された洗浄水が、ボウル面８の外部へ飛び出すことを防止することができると共に、ボウル面８の左右領域まで広範囲にわたって洗浄することができる。
第２吐水モードにおいては、第１供給通路３８から供給された高瞬間流量かつ低速の洗浄水が衝突壁３４ｂに衝突し、低速の洗浄水が衝突壁３４ｂに衝突することにより、高瞬間流量の洗浄水が吐水開口部３４からボウル面８の比較的狭い中央領域に向けて吐水される。よって、吐水された洗浄水が、ボウル面８の外部へ飛び出すことを防止することができると共に、小便器１の排水配管の尿の排出及び陰毛等の異物を除去することができ、小便器１の排水配管の設備保護洗浄をすることができる。従って、小便器１を効果的に洗浄することができる。
【００５８】
また、本実施形態による小便器１においては、第１吐水モードにおいては、流量切替手段５０が共通給水管４２の洗浄水を低瞬間流量にさせ、断面積変更手段４６が共通供給通路４４の洗浄水の流速を比較的高速にさせることができ、共通の共通給水管４２及び共通供給通路４４を利用して、比較的簡単な構造により、共通供給通路４４内の洗浄水を低瞬間流量かつ高速にできる。
第２吐水モードにおいては、流量切替手段５０が共通給水管４２の洗浄水を高瞬間流量にさせ、断面積変更手段４６が共通供給通路４４の洗浄水の流速を比較的低速にさせることができ、共通供給通路４４内の洗浄水を高瞬間流量かつ低速にできる。
従って、共通の共通給水管４２及び共通供給通路４４を利用して、比較的簡単な構造により、第１吐水モードと第２吐水モードとのうちいずれか一方を実行することができる。
【００５９】
また、本実施形態による小便器１においては、制御ユニット３２は、使用者が小便器１を使用したときに第１吐水モードを実行し、ボウル面８の左右領域まで広範囲にわたって洗浄する小便器洗浄を行うことができる。また、制御ユニット３２は、使用者が小便器１を使用したときとは別に、所定時間が経過する毎に第２吐水モードを実行させることができ、小便器１の排水配管の尿の排出及び陰毛等の異物を除去することができ、小便器１の排水配管の設備保護洗浄を行うことができる。
【符号の説明】
【００６０】
１      小便器
２      小便器本体
６      収納室
７      前面
８      ボウル面
８ａ    正面部
１４    主給水管
１６    第１給水管
１８    第２給水管
２０    第１流量調整装置
２２    第１開閉弁
２４    第２流量調整装置
２６    第２開閉弁
２８    スプレッダ
３２    制御ユニット
３４    吐水開口部
３４ａ  吐水開口上壁
３４ｂ  衝突壁
３４ｃ  吐水開口後壁
３４ｄ  開口通路
３４ｅ  内側上壁
３４ｆ  外側上壁
３８    第１供給通路
３８ａ  第１噴出口
４０    第２供給通路
４０ａ  第２噴出口
４２    共通給水管
４４    共通供給通路
４６    断面積変更手段
４８    給水通路
５０    流量切替手段
Ａ      洗浄水の流れ
Ｂ      洗浄水の流れ
Ａ１    角度
Ａ２    角度
Ｃ１    断面積
Ｃ２    断面積
Ｄ１    内径
Ｄ２    内径
【図１】
2015190247.tif 000003
【図２】
2015190247.tif 000004
【図３】
2015190247.tif 000005
【図４】
2015190247.tif 000006
【図５】
2015190247.tif 000007
【図６】
2015190247.tif 000008
【図７】
2015190247.tif 000009
【図８】
2015190247.tif 000010
【図９】
2015190247.tif 000011
【図１０】
2015190247.tif 000012
【図１１】
2015190247.tif 000013
【図１２】
2015190247.tif 000014